(57)【要約】【課題】光ヘッドのフォーカスサーボを行う方法としてナイフエッジ法を用いる場合、検出感度が高すぎるとフォーカス引き込み範囲が狭くなる。特に対物レンズのＮＡが大きくなると、検出感度は高くなる。その結果、組付け精度が厳しくなったり、振動や衝撃によってフォーカスが外れやすくなるため、フォーカスサーボを安定して行えなくなる。【解決手段】光源２から出た光束はカップリングレンズ５で平行光になり、光学的異方性材料を含む光束変換手段６で何の作用も受けず、立ち上げミラー７で対物レンズ９に向かう。光記録媒体１０の面に集光された光束は、反射後再び対物レンズを経て平行光になる。反射光は１／４波長板８を２回通る作用で偏光方向が９０度回転し、光束変換手段６でレンズ作用を受ける。光束変換手段６からは光束径が縮小された平行光が出射し、カップリングレンズとの組み合わせでＮＡが小さく変換される。【選択図】  図２
2006244586.tif 000002
【特許請求の範囲】
【請求項１】
光束を出射する光源と、前記光束を取り込むカップリングレンズと、１／４波長板と、前記光束を光記録媒体に集光する対物レンズと、前記光記録媒体からの反射光束を回折させる回折素子と、該回折素子によって回折された回折光を受光する受光素子とを有する光ヘッドにおいて、前記カップリングレンズから前記対物レンズに到る光束には影響を与えず、前記反射光束のうちフォーカス検出に用いる光束の光束径を縮小することのできる光束変換手段を有することを特徴とする光ヘッド。
【請求項２】
互いに波長の異なる光束を出射する複数の光源と、それぞれの波長に関して前記光束を取り込むカップリングレンズと、１／４波長板と、前記光束を光記録媒体に集光する対物レンズと、前記光記録媒体からの反射光束を回折させる回折素子と、該回折素子によって回折された回折光を受光する受光素子とを有する光ヘッドにおいて、少なくとも１つの波長に関して、前記光源から前記光記録媒体に到る光束には影響を与えず、前記反射光束のうちフォーカス検出に用いる光束の光束径を縮小することができる光束変換手段を有することを特徴とする光ヘッド。
【請求項３】
請求項２に記載の光ヘッドにおいて、前記複数の光源の内少なくとも１つの光源に関しては、前記反射光束の光路中に前記光束変換手段を挿入しないことを特徴とする光ヘッド。
【請求項４】
請求項３に記載の光ヘッドにおいて、前記少なくとも１つの光束変換手段を挿入しない光路は、対物レンズのＮＡが最も小さい状態で用いられる光路を含むことを特徴とする光ヘッド。
【請求項５】
請求項３または４に記載の光ヘッドにおいて、前記少なくとも１つの光束変換手段を挿入しない光路は、波長が最も長い光に関わる光路を含むことを特徴とする光ヘッド。
【請求項６】
請求項１ないし５のいずれか１つに記載の光ヘッドにおいて、前記光束変換手段は、前記対物レンズと前記カップリングレンズとの間に配置されていることを特徴とする光ヘッド。
【請求項７】
請求項１ないし６のいずれか１つに記載の光ヘッドにおいて、前記光束変換手段は、光束の入射面と出射面が平行な平面であることを特徴とする光ヘッド。
【請求項８】
請求項１ないし７のいずれか１つに記載の光ヘッドにおいて、前記光束変換手段は、前記反射光束に対して凸レンズ作用を有する光学素子が前記対物レンズ側に、前記反射光束に対して凹レンズ作用を有する光学素子が前記カップリングレンズ側に、ともに該カップリングレンズの光軸と共軸に配置されていることを特徴とする光ヘッド。
【請求項９】
請求項８に記載の光ヘッドにおいて、前記複数の光学素子は光学的等方性材料と組み合わされた光学的異方性材料からなる屈折型レンズであることを特徴とする光ヘッド。
【請求項１０】
請求項８に記載の光ヘッドにおいて、前記複数の光学素子は光学的等方性材料と組み合わされた光学的異方性材料からなる回折型レンズであることを特徴とする光ヘッド。
【請求項１１】
請求項９または１０に記載の光ヘッドにおいて、前記光学的異方性材料は液晶であることを特徴とする光ヘッド。
【請求項１２】
請求項９または１０に記載の光ヘッドにおいて、前記光学的異方性材料は固体状であることを特徴とする光ヘッド。
【請求項１３】
請求項８ないし１２のいずれか１つに記載の光ヘッドにおいて、前記複数の光学素子は一体的に構成されていることを特徴とする光ヘッド。
【請求項１４】
請求項１ないし１３のいずれか１つに記載の光ヘッドにおいて、前記光束変換手段は前記カップリングレンズと一体的に構成されていることを特徴とする光ヘッド。
【請求項１５】
請求項１ないし１４のいずれか１つに記載の光ヘッドにおいて、前記光源と前記受光素子は同一のパッケージ内に実装されていることを特徴とする光ヘッド。
【請求項１６】
請求項１ないし１５のいずれか１つに記載の光ヘッドを搭載したことを特徴とする光ディスクドライブ装置。
【発明の詳細な説明】
【技術分野】
【０００１】
本発明は、記録媒体の光ヘッドに関する。とりわけナイフエッジ法やフーコー法を用いたフォーカ ス検出方法に関する。
【背景技術】
【０００２】
光ヘッドでは光記録媒体上に正確に光を照射するためにフォーカスおよびトラックサーボを行っている。フォーカスサーボを行うためのフォーカス検出方法として、ナイフエッジ法、フーコー法、ビームサイズ法、非点収差収差法、臨界角法などがある。とりわけ、回折素子を備える光ヘッドにおいては、ナイフエッジ法とフーコー法がよく用いられている。しかしながらナイフエッジ法とフーコー法は、他の検出方法に比べて検出感度が高く、その結果フォーカス引き込み範囲（検出レンジ）が狭くなる。フォーカス引き込み範囲が狭くなると組付け精度が厳しくなったり、振動や衝撃によってフォーカスが外れやすくなるため、フォーカスサーボを安定して行えなくなる。特に対物レンズのＮＡが大きくなると、検出感度は高くなりフォーカス引き込み範囲はさらに狭くなる。
光ディスクを大容量化するために、対物レンズのＮＡは大きくなっている。容量６４０ＭＢのＣＤでは対物レンズのＮＡは０．４〜０．５５であったが、容量４．７ＧＢのＤＶＤでは０．６〜０．６５となり、容量２３ＧＢのＢｌｕ−ｒａｙでは０．８５となっている。このように大容量化するために対物レンズのＮＡを大きくしたシステムにおいては、ナイフエッジ法やフーコー法はフォーカス検出感度が高くなり、フォーカス引き込み範囲が狭くなるため、フォーカス検出感度を低感度化する必要がある。そのための方法が以下のように提案されている。
【０００３】
その一つは、ビームを複数に分割し、ビームの内側の部分を使ってナイフエッジ検出を行うことで、フォーカス感度を低下させる方法である（例えば、特許文献１  参照。）。
これによりフォーカス引き込み範囲が広くなり、組付け精度が緩和される。ところがビームを多数に分割するために、受光素子も多数必要となる。回折素子を備える光ヘッドにおいては受光素子の数が多くなると、光源と受光素子を備えるユニットを小型化できなくなり、光ヘッドの小型化に不向きとなる。
他の一つは、フォーカス検出を行うビームに非点収差を与えることにより、デフォーカス時にスポットが受光素子の分割線を垂直ではなく斜めに横切るようにすることでフォーカス感度を低下させる方法である（例えば、特許文献２  参照。）。これにより受光素子の数を増やさずにフォーカス感度を低下させることができる。しかしながら受光素子の位置が光軸方向に前後にずれると、スポットの非点収差の位置とずれるため、フォーカス信号が非対称となってしまう。受光素子の位置は、受光素子チップの実装ずれや受光素子チップの基板厚さばらつきによって光軸方向に前後にずれる可能性があるため、本方式を実現するためには、高精度実装や受光素子基板厚さの管理が必要となり、歩留まりが悪く高コスト化してしまう。
【０００４】
【特許文献１】特第０３２９４０９２号公報
【特許文献２】特開２００２−２１６３６８号公報
【発明の開示】
【発明が解決しようとする課題】
【０００５】
本発明では、フォーカス検出感度を低感度化してフォーカス引き込み範囲を広げると同時に、受光素子の数を増やすことなく小型化を実現し、かつ低コストな光ヘッドを実現することを目的とする。
フォーカス検出感度を低感度化するためには、特許文献１に示されているように、検出レンズの焦点距離を大きくすれば良い。しかしながら回折素子を使った光ヘッドでは、カップリングレンズと検出レンズが共通なので、検出レンズの焦点距離を大きくすることはできない。そこで本発明では回折素子を使った光ヘッドにおいても、カップリングレンズと検出レンズの焦点距離が異なる光学系を与えて、フォーカス検出感度を低感度化した光ヘッドを可能にする。
【課題を解決するための手段】
【０００６】
請求項１に記載の発明では、光束を出射する光源と、前記光束を取り込むカップリングレンズと、１／４波長板と、前記光束を光記録媒体に集光する対物レンズと、前記光記録媒体からの反射光束を回折させる回折素子と、該回折素子によって回折された回折光を受光する受光素子とを有する光ヘッドにおいて、前記カップリングレンズから前記対物レンズに到る光束には影響を与えず、前記反射光束のうちフォーカス検出に用いる光束の光束径を縮小することのできる光束変換手段を有することを特徴とする。
請求項２に記載の発明では、互いに波長の異なる光束を出射する複数の光源と、それぞれの波長に関して前記光束を取り込むカップリングレンズと、１／４波長板と、前記光束を光記録媒体に集光する対物レンズと、前記光記録媒体からの反射光束を回折させる回折素子と、該回折素子によって回折された回折光を受光する受光素子とを有する光ヘッドにおいて、少なくとも１つの波長に関して、前記光源から前記光記録媒体に到る光束には影響を与えず、前記反射光束のうちフォーカス検出に用いる光束の光束径を縮小することができる光束変換手段を有することを特徴とする。
請求項３に記載の発明では、請求項２に記載の光ヘッドにおいて、前記複数の光源の内少なくとも１つの光源に関しては、前記反射光束の光路中に前記光束変換手段を挿入しないことを特徴とする。
【０００７】
請求項４に記載の発明では、請求項３に記載の光ヘッドにおいて、前記少なくとも１つの光束変換手段を挿入しない光路は、対物レンズのＮＡが最も小さい状態で用いられる光路を含むことを特徴とする。
請求項５に記載の発明では、請求項３または４に記載の光ヘッドにおいて、前記少なくとも１つの光束変換手段を挿入しない光路は、波長が最も長い光に関わる光路を含むことを特徴とする。
請求項６に記載の発明では、請求項１ないし５のいずれか１つに記載の光ヘッドにおいて、前記光束変換手段は、前記対物レンズと前記カップリングレンズとの間に配置されていることを特徴とする。
請求項７に記載の発明では、請求項１ないし６のいずれか１つに記載の光ヘッドにおいて、前記光束変換手段は、光束の入射面と出射面が平行な平面であることを特徴とする。
【０００８】
請求項８に記載の発明では、請求項１ないし７のいずれか１つに記載の光ヘッドにおいて、前記光束変換手段は、前記反射光束に対して凸レンズ作用を有する光学素子が前記対物レンズ側に、前記反射光束に対して凹レンズ作用を有する光学素子が前記カップリングレンズ側にともに該カップリングレンズの光軸と共軸に配置されていることを特徴とする。
請求項９に記載の発明では、請求項８に記載の光ヘッドにおいて、前記複数の光学素子は光学的等方性材料と組み合わされた光学的異方性材料からなる屈折型レンズであることを特徴とする。
請求項１０に記載の発明では、請求項８に記載の光ヘッドにおいて、前記複数の光学素子は光学的等方性材料と組み合わされた光学的異方性材料からなる回折型レンズであることを特徴とする。
【０００９】
請求項１１に記載の発明では、請求項９または１０に記載の光ヘッドにおいて、前記光学的異方性材料は液晶であることを特徴とする。
請求項１２に記載の発明では、請求項９または１０に記載の光ヘッドにおいて、前記光学的異方性材料は固体状であることを特徴とする。
請求項１３に記載の発明では、請求項８ないし１２のいずれか１つに記載の光ヘッドにおいて、前記複数の光学素子は一体的に構成されていることを特徴とする。
請求項１４に記載の発明では、請求項１ないし１３のいずれか１つに記載の光ヘッドにおいて、前記光束変換手段は前記カップリングレンズと一体的に構成されていることを特徴とする。
請求項１５に記載の発明では、請求項１ないし１３のいずれか１つに記載の光ヘッドにおいて、前記光源と前記受光素子は同一のパッケージ内に実装されていることを特徴とする。
請求項１６に記載の発明では、請求項１ないし１５のいずれか１つに記載の光ヘッドを搭載した光ディスクドライブ装置を特徴とする。
【発明の効果】
【００１０】
本発明によれば、光記録媒体からの反射光束だけを縮小することでカップリングレンズを変えずに、検出レンズの焦点距離が大きくなったことと同等の効果が得られるため、ナイフエッジ法やフーコー法においてもフォーカス引き込み範囲を広げることができ、フォーカスサーボを安定して行うことができるようになる。反射光束だけ縮小するために凸レンズと凹レンズを用いる。これにより縮小率を任意に決めることができ、フォーカス感度を最適な感度(３０％〜６０％／μｍ)にすることができる。
上記反射光束だけを縮小する光束変換手段をカップリングレンズと対物レンズの平行光路中に配置することで組み付け精度を緩和できる。光束変換手段の光学素子を光学的異方性材料からなるレンズとすることにより、光源から光記録媒体に照射される光（往路光）は透過し、光記録媒体からの反射光（復路光）に対してのみレンズ作用を示すことができる。
上記レンズを回折型レンズとすることにより、光源から光記録媒体に照射される光（往路光）は透過し、光記録媒体からの反射光（復路光）に対してのみレンズ作用を示すことができるうえに、薄型化可能で、レンズ設計の自由度も大きくすることができる。
上記光束変換手段をカップリングレンズと一体化することで、小型化とオフセットの低減を図ることができる。
【００１１】
ホログラムユニットのような光源と受光素子を一体化したユニットを用いた光学系において、光記録媒体からの反射光束だけを縮小する光束変換手段を有することにより、ナイフエッジ法やフーコー法を用いた場合でもフォーカス引き込み範囲を広げることができ、安定したフォーカスサーボと光ヘッドの小型化を実現できる。
前記光束変換手段は複数波長に対して縮小作用を示すので、各波長ともフォーカス引き込み範囲を広げた最適なフォーカス信号を得ることができる。これにより各波長に対してホログラムユニットを用いることができるため光ヘッドの小型化を実現できる。
前記光束変換手段は、複数の波長のうち、ＮＡが最も小さい対物レンズで集光される波長の光、もしくは波長が最も長い光、の反射光束に対しては縮小する光学系を有しないようにする。フォーカス感度が高く、フォーカス引き込み範囲が狭い光学系に対してのみ反射光束を縮小することで規格の異なる複数のメディアすべてに対して最適なフォーカス信号を得られるようにすることができる。
本発明による光ディスクドライブ装置は、規格の異なる複数のメディアに対して全てホログラムユニットを用いた光ヘッド用いることができるため、光ヘッドが小型で経時変化や温度に対して安定であり、ドライブの薄型化を実現できる。ホログラムユニットの受光素子の分割数を増やさなくて良いので、受光素子やユニットが大型化せず小型化が実現でき、ノート型パソコンに搭載できる光ディスクドライブ装置を実現できるようになる。
本発明の光束変換手段は、偏光を利用しているので光利用効率が高く、高速記録再生に適している。
【発明を実施するための最良の形態】
【００１２】
図１は本発明の構成と読み取り光の往路を示す図である。
同図において符号１はホログラムユニット、２は光源、３はホログラム、４は受光素子、５はカップリングレンズ、６は本発明の光束変換手段、７は立ち上げミラー、８は１／４波長板、９は対物レンズ、１０は光記録媒体、１００は光ヘッドをそれぞれ示す。
同図に示すように、ホログラムユニット１に実装された光源２から出射された光はホログラム３を透過してカップリングレンズ５で取り込まれる。カップリングレンズ５は光源２から出射された光をより多く取り込むことと、取り込んだビームの最外周部の強度が一定以上に確保することとを両立できるような焦点距離ｆ１に決められる。焦点距離ｆ１は１０〜２０ｍｍ程度になるのが一般的である。カップリングレンズ５で取り込まれた光は、本発明の光束変換手段６を透過し、立ち上げミラー７で反射されて１／４波長板８で円偏光になって、対物レンズ９で光記録媒体１０上に集光される。本発明の光束変換手段６は、光源２から光記録媒体１０へと向かう光に対しては透過するだけで何ら作用を及ぼさない。
同図において一点鎖線で囲まれた範囲が光ヘッド１００である。ビーム整形素子や収差補正素子等の本発明に直接関係の無い素子は図示を省略した。
【００１３】
図２は読み取り光の復路の主要部を示す図である。
同図において符号１１は凹レンズ、１２は凸レンズをそれぞれ示す。
光記録媒体１０から反射された光は、対物レンズ９、１／４波長板８を通って立ち上げミラー７で反射されて本発明の光束変換手段６へと入射する。ここまでの光路は往路と同じ光路の逆をたどるので図は省略する。多層光記録媒体１０からの反射光は、１／４波長板８により偏光方向が９０度回転している。この偏光に対して本発明の光束変換手段６は光束を縮小する作用を示す。ここでは光束変換手段６の構成要素として、凹レンズ１１と凸レンズ１２を組み合わせて用いることとして話を進める。両レンズはそれぞれの光軸をカップリングレンズ５の光軸と一致させて共軸に配置される。
凹レンズ１１の焦点距離をｆａ、凸レンズ１２の焦点距離をｆｂとし、レンズ間隔をｄとすると、本発明の光束変換手段６の焦点距離ｆは、以下の式で表される。
１／ｆ＝１／ｆａ+１／ｆｂ−ｄ／（ｆａ×ｆｂ）        …（１）
例えば、凸レンズ焦点距離ｆｂ＝４０ｍｍ、凹レンズ焦点距離ｆａ＝−３０ｍｍ、レンズ間隔ｄ＝１０ｍｍ  とすると本発明の光束変換手段の焦点距離は（１）式よりｆ=∞となる。すなわち、それぞれのレンズの、ホログラムユニット１側にある焦点を一致させて配置するのが本発明の光束変換手段６の特徴である。したがって光記録媒体１０から反射された平行光束のビーム径が、縮小された平行光としてカップリングレンズ５へと入射する。入射した平行光はカップリングレンズ５で集光されて受光素子４へと導かれる。このときにカップリングレンズ５の焦点距離はｆ１だが、カップリングレンズ５との組み合わせによる実質的な焦点距離はｆ２（ｆ１＜ｆ２）となって長い焦点距離のレンズで集光されたことと同等の効果が得られる。
なお、カップリングレンズ５と対物レンズ９の間の光束は平行光であることが原則であるが絶対的な条件ではない。
【００１４】
このように本発明の光束変換手段６は、光源２から光記録媒体１０へと向かう光（往路光）に対しては透過するだけで何ら作用を及ぼさないので、カップリングレンズ５は従来どおり光源からの光を取り込むために最適な焦点距離に設計できる。光記録媒体１０から反射された光（復路光）に対しては光束を縮小する作用を示すので、カップリングレンズ５と組み合わせて焦点距離の長い検出レンズを実現することができる。したがってカップリングレンズと検出レンズが共用されるホログラムユニットを使った光学系においても、検出レンズの焦点距離が長い光学系を実現できる。フォーカス検出がナイフエッジ（フーコー）法のときに、反射光束を縮小して照明光束よりもビーム径を小さくすることにより、フォーカス感度を低感度化でき、フォーカス引き込み範囲を広げて安定したフォーカスサーボが可能となる。
【００１５】
図３は本発明によりホログラムが小型化できる様子を説明するための図である。
光束変換手段６はカップリングレンズ５と対物レンズ９の平行光路中に配置することで設置精度は緩くできる。またビーム径を縮小することによりホログラムへの入射ビーム径を小さくできる。これにより、従来例えば同図（ｂ）に示すようなホログラム３’が必要であったところ、有効光束の縮小により、同図（ｃ）に示すような小さいホログラム３で間に合うようになる。したがって、ホログラム面積を小さくしたり、ホログラムの外形を小さくできるために、ホログラムを１枚のウェハから多数生産することができ低コスト化できるというメリットも持っている。
【００１６】
図４は本発明の光学素子の一例を説明するための図である。同図（ａ）、（ｃ）は凹レンズ１１を、同図（ｂ）、（ｄ）は凸レンズ１２をそれぞれ示す図である。
同図において符号６１は光学的等方性材料、６２は液体状の光学的異方性材料、６３は固体状の光学的異方性材料をそれぞれ示す。
本発明の光束変換手段６が、光記録媒体１０からの光だけを縮小させるためには往路光と復路光の偏光方向の違いを利用すれば良い。光記録媒体１０からの反射光の偏光方向に対してだけレンズ作用を生じさせるためには光束変換手段６を光学的等方性材料と光学的異方性材料の組み合わせで形成すればよい。光学的異方性材料としては、ＬｉＮｂＯ３結晶やＣａＣＯ３、液晶、有機延伸膜と言った材料がある。このような材料を使ってレンズを形成し、光学的等方性材料を用いて全体を平行平板に形成すれば、光源２からの光に対しては透過し、光記録媒体１０からの光に対してはレンズ作用を発生させることができる。
【００１７】
光学的異方性材料としては液晶６２を例に説明する。光学的等方性材料６１として２枚のガラス板のそれぞれの一方の表面を球面状の曲面に加工し、曲面同士を対向させた２枚のガラス板の間に液晶６２を充填する。液晶６２に接しない側の２つの面は作成されるレンズの光軸に対して直交する平面に形成される。曲面を凸面にしたもの同士の場合と、凹面にしたもの同士の場合で作用が異なる。液晶６２は、光源からの光（常光）に対してはガラスと同じ屈折率ｎｏを示す材料を選ぶので、この場合は単なる平行平板として透過し、光記録媒体１０からの光（異常光）に対してはガラスより大きい屈折率ｎｅを示す材料を選んであるので、前者は凹レンズとして、後者は凸レンズとしての屈折型レンズとして作用する。これにより光記録媒体１０からの光束径だけを縮小させることが可能となる。
なお、往路光を異常光とし、復路光を常光とする配置の場合には前記曲面の作用が凹凸逆に働く。また、ｎｏとｎｅの大小関係が逆になっても同様のことが生ずる。要は、反射光束の偏光方向に対して凸レンズ作用を有する光学素子を対物レンズ側に、且つ、凹レンズ作用を有する光学素子をカップリングレンズ側に配置すればよい。
同図（ａ）、（ｂ）においては、凹レンズ１１、凸レンズ１２を両凹レンズ、あるいは両凸レンズとして示しているが、パワーの犠牲を伴うが、製造の都合によっては平凹レンズや平凸レンズにすることは一向に構わない。
固体状光学的異方性材料６３を用いる場合、同図（ｃ）、（ｄ）の様な平凹レンズや、平凸レンズ構成にすることもできる。
【００１８】
図５は光学素子の他の例を説明するための図である。同図（ａ）は凹レンズ１１を、同図（ｂ）は凸レンズ１２をそれぞれ示す図である。
以下説明を簡略化するため光学的異方性材料として液晶を用いて説明するが、固体状光学的異方性材料を用いても基本構成は変わらない。
本発明の光束変換手段６を回折型のレンズで実現する場合は、同図に示すようにフレネルレンズの形状に同心円状に凹凸を設けてそこに液晶を充填する。回折型のレンズは、薄型化できる上に、輪帯の周期構造を変えるだけでレンズの焦点距離を変えられるので加工が容易でレンズの設計自由度が大きくなる。断面をブレーズ化（鋸刃状）すれば１００％近い回折効率が得られる。
【００１９】
図６は凸レンズ系と凹レンズ系を一体化する例を説明するための図である。同図（ａ）は屈折型の球面レンズとして構成したもの、同図（ｂ）は回折型のレンズとして構成したものをそれぞれ示す図である。同図（ｃ）、同図（ｄ）は屈折型と回折型を組み合わせた例をそれぞれ示す図である。
同図（ａ）において、それぞれ所定の凸面あるいは凹面に形成したガラス材料６１からなるガラス板を３枚組み合わせて対向させ、間に液晶材料６２を封入する。液晶の形状によって、凹レンズ１１や凸レンズ１２が形成される。
同図（ｂ）において、回折型のレンズの組み合わせで、上記と同様な構成の組み合わせレンズを作る。
同図（ｃ）、（ｄ）において、凹レンズ１１、凸レンズ１２のいずれか一方を屈折型レンズとし、他方を回折型レンズとしても作用は全く変わらない。
固体状の光学的異方性材料を用いる場合、図４（ｃ）、（ｄ）に示した２つのレンズを直接一体化した構成にすることができる。
このように、２つの屈折型レンズあるいは回折型レンズを一体化することで、２つのレンズの間隔ｄや光軸の調整が光ヘッド組み付け時に不要となり、歩留まりや組み付け精度を向上させることができる。これによりビームを縮小する時の縮小度合いにばらつきが小さくなるため、フォーカス検出感度のばらつきも小さくすることができる。
【００２０】
図７はレンズ系を組み付け一体化した構成を示す図である。
本発明の光束変換手段６をカップリングレンズ５と一体化させることもできる。光束変換手段６がカップリングレンズ５と一体化されることにより、光束変換手段６とカップリングレンズ５との光軸ずれを小さくできる。例えば紙面に直交する方向に光軸ずれがあると、ホログラム３で回折された受光素子上のスポットは紙面に直交する方向にずれるためフォーカスオフセットが発生してしまう。光束変換手段６とカップリングレンズ５とをあらかじめ光軸ずれが小さくなるように調整して一体化すれば、フォーカスオフセットは小さく抑えることができ、信頼性の高いフォーカス信号を得ることができる。
【００２１】
図８は本発明を規格の異なる複数の光記録媒体に兼用させる実施形態を説明するための図である。
同図において符号２００は複数の光源を有する光ヘッドを示す。
本発明の光束変換手段をＣＤやＤＶＤ、Ｂｌｕ−ｒａｙ、ＨＤ−ＤＶＤなど規格の異なる複数の光記録媒体に兼用する場合についての提案を行う。ここでは、例としてＣＤとＤＶＤとＢｌｕ−Ｒａｙ に対応する場合について説明する。光ヘッドはＣＤとＤＶＤとＢｌｕ−Ｒａｙすべてにホログラムユニットを使うことができれば、小型で経時変化に安定な光ヘッドを実現できる。しかしながら、フォーカス感度が高いホログラムユニットでは組付け精度が厳しかったり、振動や衝撃によってフォーカスが外れやすくなる。ＣＤとＤＶＤとＢｌｕ−Ｒａｙすべてをホログラムユニットで構成するとすれば、光ヘッドは同図に示すような光学系となる。ビーム整形素子や収差補正素子等の本発明に直接関係の無い素子は図示を省略した。すなわち、ＤＶＤ用と、Ｂｌｕ−Ｒａｙ用のホログラムユニットのカップリングレンズ５ａ、５ｂ前方に本発明の光束変換手段６ａ、６ｂをそれぞれ配置することで、ＤＶＤ、Ｂｌｕ−Ｒａｙ両方の光束径を縮小させることができる。対物レンズのＮＡが大きいほど実質的な焦点距離ｆ２を大きくしておく。
同図では簡略化のため、３個のホログラムユニットはほぼ同じ図になっているが、それぞれの出射光の波長が互いに異なるため、カップリングレンズとの距離や対物レンズに到る光束径などはそれぞれ少しずつ異なっている。例えばＢｌｕ−Ｒａｙ用の光束は径が大きく、ＣＤ用の光束は径が小さく形成される。また対物レンズは見かけ上１個で構成されているが、複数波長の光束を扱う場合の対物レンズは、波長互換性と呼ばれる対物レンズを用いて、Ｂｌｕ−Ｒａｙ用の光束のみが入る最外周近傍の領域（輪帯）と、ＤＶＤ用とＢｌｕ−Ｒａｙ用の光束が入る中間領域と、すべての光束が入る最内周領域で屈折力を変えている。したがって、Ｂｌｕ−Ｒａｙ用の光束に対して波長互換性対物レンズはＮＡが最も大きい状態で用いられ、ＣＤ用の光束に対してＮＡが最も小さい状態で用いられる。
また、ＣＤ用光束は平行光よりも、若干発散光にした方が所望のフォーカスが得られやすいことも分かっている。そのために、対物レンズ近傍にＣＤの波長に対して平行光を発散光に変換する素子、例えば回折レンズなどを付加することも行われる。付加は、１／４波長板に対して行う場合も有れば、対物レンズに対して行う場合もある。
【００２２】
ＣＤは対物レンズのＮＡが小さいためフォーカス感度が低く、光束を縮小させなくても十分なフォーカス引き込み範囲を確保できている。
このように,規格の異なる複数の光記録媒体に対応する光ヘッドにおいて、対物レンズのＮＡが大きく、フォーカス感度が高くなる複数の光記録媒体に対して作用させることで、各光記録媒体に対してフォーカス感度を最適化することができる。フォーカス感度は対物レンズのＮＡが大きくなると高くなるため、本発明の光束変換手段６は対物レンズのＮＡの大きいＢｌｕ−ｒａｙとして実質的な焦点距離がより長くなる６ａを、またＤＶＤのようなシステムに対しては実質的な焦点距離がＢｌｕ−ｒａｙの場合より短めの６ｂを適用し、ＣＤのような対物レンズのＮＡが小さいシステムには適用しなくても良い。
【００２３】
図９は図８に示した実施形態の変形を示す図である。
同図において符号３００は光ヘッドを示す。
光束変換手段６を液晶で作る場合、屈折率ｎｅとｎｏの差があまり大きくとれないので、凸レンズにしても凹レンズにしても、大きなパワーが得られない。そのため実質焦点距離ｆ２を大きくしようとしても自ずから限界がある。幸いにして、光束変換手段６は無焦点系であるから、多段にして使うこともできる。そこで、同図に示すように、ＣＤ用受光部方向とＤＶＤ用受光部方向とに光束が分岐した後で、光束変換手段６を挿入し（１段目）、ＤＶＤ用受光部方向とＢｌｕ−ｒａｙ用受光部方向とに光束が分岐した後にさらに光束変換手段６を挿入する（２段目）。２つの光束変換手段はそれぞれ対応するＮＡに合わせて構成を異ならせても良いが、同じ物を２個使いにする方が製造上は有利である。
ＣＤ用受光部方向に光束が分岐した後に光束変換手段６を挿入すると、そこで平行光束の径が少し小さくなる。この径をＤＶＤ用受光部のホログラムに合うように設定しておく。
【００２４】
ＤＶＤ用受光部方向に光束が分岐した後にもう１個の光束変換手段６を挿入すると、平行光束の径がさらに少し小さくなる。この径をＢｌｕ−ｒａｙ用受光部のホログラムに合うように設定しておく。すなわち、対物レンズのＮＡが大きい光学系に対しては、光束変換手段６を２段に用いて平行光束の段階で光束径を２段に縮小することで、所望のフォーカス検出感度と十分なフォーカス引き込み範囲を確保できる。
なお、１個の光束変換手段６によって、ＤＶＤ用とＢｌｕ−ｒａｙ用の中間の実質焦点距離ｆ２が得られれば、若干のずれを許容して、光束変換手段の挿入は１段目のみにしても良い。
逆に、ＤＶＤ用のＮＡに関してフォーカス引き込み範囲が許容できる範囲であれば、同図における１段目の光束変換手段６を省略して、２段目の光束変換手段６のみを用いても良い。
【図面の簡単な説明】
【００２５】
【図１】本発明の構成と読み取り光の往路を示す図である。
【図２】読み取り光の復路の主要部を示す図である。
【図３】本発明によりホログラムが小型化できる様子を説明するための図である。
【図４】本発明の光学素子の一例を説明するための図である。
【図５】光学素子の他の例を説明するための図である。
【図６】凸レンズ系と凹レンズ系を一体化する例を説明するための図である。
【図７】レンズ系を組み付け一体化した構成を示す図である。
【図８】本発明を規格の異なる複数の光記録媒体に兼用させる実施形態を説明するための図である。
【図９】図８に示した実施形態の変形を示す図である。
【符号の説明】
【００２６】
１      ホログラムユニット
２      光源
３      ホログラム
４      受光素子
５      カップリングレンズ
６      光束変換手段
１０      光記録媒体
１１      凹レンズ
１２      凸レンズ
６１      ガラス材料
６２      液晶材料
【図１】
2006244586.tif 000003
【図２】
2006244586.tif 000004
【図３】
2006244586.tif 000005
【図４】
2006244586.tif 000006
【図５】
2006244586.tif 000007
【図６】
2006244586.tif 000008
【図７】
2006244586.tif 000009
【図８】
2006244586.tif 000010
【図９】
2006244586.tif 000011